(57)【要約】【課題】本発明は、既存外壁の外部空間を利用することができる外部張出し構造を得ることを目的とする。【解決手段】外部張出し構造１０は、外壁開口１８が形成された既存外壁１２と、既存外壁１２に後施工により取り付けられ、外壁開口１８の下側から外側へ張り出す張出し床部７０Ａを有するテラス７０と、を備えている。【選択図】図４
2015074929.tif 000002
【特許請求の範囲】
【請求項１】
外壁開口が形成された既存外壁と、
前記既存外壁に後施工により取り付けられ、前記外壁開口の下側から外側へ張り出す張出し床部と、
を備える外部張出し構造。
【請求項２】
前記既存外壁に後施工により取り付けられ、前記外壁開口の上側から外側へ張り出す庇部と、
前記外壁開口の両側に配置され、前記床部と前記庇部とを接続すると共に、該床部及び該庇部とで前記外壁開口を取り囲む一対の側壁部と、
を備える請求項１に記載の張出し構造。
【請求項３】
前記既存外壁には、前記外壁開口が複数形成され、
前記床部、前記庇部、及び前記一対の側壁部が、一つの前記外壁開口を取り囲む、
請求項２に記載の張出し構造。
【請求項４】
前記外壁に後施工により取り付けられると共に、前記外壁開口と対向する開口部が形成された鋼板を備え、
前記床部及び前記庇部が、前記鋼板に取り付けられている、
請求項２または請求項３に記載の張出し構造。
【発明の詳細な説明】
【技術分野】
【０００１】
本発明は、外部張出し構造に関する。
【背景技術】
【０００２】
新築時に、構造物の外壁と同時に施工され、外壁よりも外側の外部空間を例えばリフレッシュスペース等として利用可能にするバルコニーが知られている（例えば、特許文献１参照）。
【先行技術文献】
【特許文献】
【０００３】
【特許文献１】特開２００３−１１９８７８号公報
【発明の概要】
【発明が解決しようとする課題】
【０００４】
ところで、既存構造物においても、既存外壁の外部空間をリフレッシュスペース等として利用したいとの要望がある。これと同様に、新築構造物であっても、外壁施工後の設計変形等により、既存外壁の外部空間をリフレッシュスペース等に変更したいとの要望がある。
【０００５】
本発明は、上記の事実を考慮し、既存外壁の外部空間を利用することができる外部張出し構造を得ることを目的とする。
【課題を解決するための手段】
【０００６】
請求項１に記載の外部張出し構造は、外壁開口が形成された既存外壁と、前記既存外壁に後施工により取り付けられ、前記外壁開口の下側から外側へ張り出す張出し床部と、を備えている。
【０００７】
請求項１に係る外部張出し構造によれば、後施工により、既存外壁に外壁開口の下側から外側へ張り出す張出し床部を取り付けることで、既存外壁よりも外側の外部空間を、例えばリフレッシュスペース等として利用することができる。
【０００８】
また、張出し床部は、柱に支持されない。したがって、所定の張出し量までは延床面積（建築面積）を増加させずに、外部空間を利用可能にすることができる。
【０００９】
請求項２に記載の外部張出し構造は、請求項１に記載の張出し構造において、前記既存外壁に後施工により取り付けられ、前記外壁開口の上側から外側へ張り出す庇部と、前記外壁開口の両側に配置され、前記床部と前記庇部とを接続すると共に、該床部及び該庇部とで前記外壁開口を取り囲む一対の側壁部と、を備えている。
【００１０】
請求項２に係る外部張出し構造によれば、後施工により、既存外壁に外壁開口の上側から外側へ張り出す庇部を取り付けることで、風雨や日射を遮蔽することができる。
【００１１】
また、外壁開口の両側に配置された一対の側壁部によって風を捕えることにより、外壁開口を介して構造物内へ風を取り込むことができる。このように風（自然風）を利用することにより、省エネルギー化を図りつつ、構造物の環境性能を向上させることができる。
【００１２】
さらに、張出し床部、庇部、及び一対の側壁部によって外壁開口を取り囲み、意匠性を持たせることで、構造物の外観を良好にすることができる。
【００１３】
請求項３に記載の外部張出し構造は、請求項２に記載の張出し構造において、前記既存外壁には、前記外壁開口が複数形成され、前記床部、前記庇部、及び前記一対の側壁部が、一つの前記外壁開口を取り囲んでいる。
【００１４】
請求項３に係る外部張出し構造によれば、床部、庇部、及び一対の側壁部によって一つの外壁開口を取り囲み、意匠性を持たせることで、構造物の外観を良好にすることができる。
【００１５】
請求項４に記載の外部張出し構造は、請求項２または請求項３に記載の張出し構造において、前記外壁に後施工により取り付けられると共に、前記外壁開口と対向する開口部が形成された鋼板を備え、前記床部及び前記庇部が、前記鋼板に取り付けられている。
【００１６】
請求項４に係る外部張出し構造によれば、外壁開口と対向する開口部が形成された鋼板を後施工により外壁に取り付けることで、眺望性、採光性、通風性等を確保しつつ、耐震性能を向上させることができる。
【００１７】
また、鋼板に床部及び庇部を取り付けることにより、つまり、鋼板を床部及び庇部の下地材として利用することにより、床部及び庇部を既存外壁に直接取り付ける場合と比較して施工が容易となる。
【００１８】
さらに、床部、庇部、及び一対の側壁部によって、鋼板の少なくとも一部が覆われるため、鋼板の仕上げ等を省略することができる。
【発明の効果】
【００１９】
以上説明したように、本発明に係る外部張出し構造によれば、既存外壁の外部空間を利用することができる。
【図面の簡単な説明】
【００２０】
【図１】本発明の一実施形態に係る外部張出し構造が適用された既存外壁及びテラスを示す斜視図である。
【図２】図１に示される既存外壁からテラスを撤去した状態を示す立面図である。
【図３】図１に示されるテラスを示す立面図である。
【図４】図３の４−４線断面図である。
【図５】図３の５−５線断面図である。
【発明を実施するための形態】
【００２１】
以下、図面を参照しながら、本発明の一実施形態に係る外部張出し構造について説明する。
【００２２】
図１には、本実施形態に係る外部張出し構造１０が適用された構造物の既存外壁１２及びテラス（外部テラス）７０が示されている。テラス７０は、構造物の既存外壁１２に形成された外壁開口１８の周辺部に後施工により取り付けられ、既存外壁１２よりも外側の外部空間を例えばリフレッシュスペースとして利用可能にするものである。このテラス７０は、鋼製耐震壁３０を介して既存外壁１２に取り付けられている。なお、テラス７０は、ベランダとして捉えることも可能である。
【００２３】
（鋼製耐震壁）
先ず、鋼製耐震壁３０の構成について説明する。鋼製耐震壁３０は、既存外壁１２を耐震補強すると共に、テラス７０を既存外壁１２に取り付けるための下地材としても用いられるものである。既存外壁１２は、鉄筋コンクリート造（ＲＣ造）とされており、上下の梁１４（図４参照）及び左右の柱１６（図５参照）によって形成された架構内に設けられている。
【００２４】
図２に示されるように、鋼板としての鋼製耐震壁３０は、正面視にて矩形の枠状に形成されており、その中央部に開口部２０が形成されている。この鋼製耐震壁３０は、既存外壁１２の外壁開口１８を塞がないように、当該外壁開口１８に開口部２０を対向させた状態で配置されている。この鋼製耐震壁３０の開口部２０は、外壁開口１８よりも大きくされている。なお、矩形状の外壁開口１８には、サッシ２０が取り付けられている。
【００２５】
鋼製耐震壁３０は、複数の縦フランジ３６及び横フランジ３８を格子状に接合した格子状体の枠部に波形鋼板３２または表面板４６，５０を設けることにより形成されている。この鋼製耐震壁３０は、開口部２０が形成された壁部３０Ｂと、壁部３０Ｂの上下に設けられ、上下の梁１４にそれぞれ接合された上側接合部３０Ａ及び下側接合部３０Ｃとを有している。壁部３０Ｂには、波形鋼板３２が設けられ、上側接合部３０Ａ及び下側接合部３０Ｃには、表面板４６，５０がそれぞれ設けられている。なお、下側の表面板５０は、壁部３０Ｂと下側接合部３０Ｃとにまたがって設けられている。また、表面板４６，５０には、補剛リブ４０が適宜設けられている。
【００２６】
波形鋼板３２は、断面波形状に形成されており、開口部２０の両側に折り筋を横（水平方向）にして配置されている。この波形鋼板３２が、地震時にせん断変形して水平力に抵抗し、若しくは降伏して地震エネルギーを吸収することにより構造物の振動が低減されるようになっている。なお、図２では図示を省略したが、本実施形態の壁部３０Ｂの外面には、アルミパネル等の仕上パネル４２（図１参照）が設けられている。
【００２７】
図４に示されるように、上側接合部３０Ａ及び下側接合部３０Ｃは、上下の梁１４の外面１４Ａと対向して配置されている。上側接合部３０Ａ及び下側接合部３０Ｃの表面板４６，５０には、図示しない複数の頭付スタッドが突設されている。一方、梁１４の外面１４Ａには、複数のアンカー部材５４が埋設されている。また、各表面板４６，５０と梁１４との間には、コンクリート等の充填材５６が充填されている。この充填材５６によって、頭付スタッド及びアンカー部材５４を一体化することにより、上側接合部３０Ａ及び下側接合部３０Ｃが上下の梁１４の外面１４Ａにせん断力を伝達可能にそれぞれ接合されている。
【００２８】
なお、上側接合部３０Ａ及び下側接合部３０Ｃと上下の梁１４との接合方法は上記したものに限らず、例えば、梁１４の外面１４Ａに埋め込まれた袋ナット及びボルトにより、上側接合部３０Ａ及び下側接合部３０Ｃをそれぞれ接合しても良い。
【００２９】
（テラス）
次に、テラス７０の構成について説明する。図３に示されるように、テラス７０は、鋼製耐震壁３０における開口部２０の外周部に支持された床骨格材７２、庇骨格材８２、及び側壁骨格材８６を、外壁開口１８を取り囲む枠状カバー９０で覆うことにより形成されている。枠状カバー９０は、アルミパネル等の複数の表面パネルを繋ぎ合わせて形成されている。このテラス７０は、張出し床部７０Ａと、庇部７０Ｂと、一対の側壁部７０Ｃとを備え、外壁開口１８単位に設けられている。
【００３０】
張出し床部７０Ａは、外壁開口１８の下側から外側へ張り出している。この張出し床部７０Ａには、鋼製耐震壁３０の下部に片持ちで支持された４本の床骨格材７２と、これらの床骨格材７２の先端部に架け渡された繋ぎ材７４とが設けられている。床骨格材７２及び繋ぎ材７４は、例えばＨ形鋼等で形成されている。また、図４に示されるように、張出し床部７０Ａの張り出し方向の先端部からは、外壁開口１８の略半分の高さの手摺７６が立ち上げられている。なお、本実施形態では、手摺７６としてガラス手摺を用いたが、他の手摺を用いても良い。また、手摺７６は、適宜省略可能である。
【００３１】
床骨格材７２の基端部は、鋼製耐震壁３０に突き当てられた状態で、図示しないボルトや溶接等によって接合されている。また、図５にも示されるように、床骨格材７２及び繋ぎ材７４の上には、複数の床パネル７８が敷設されている。なお、本実施形態では、床パネル７８がウッドデッキとされているが、他のパネル材を用いても良い。
【００３２】
図３に示されるように、庇部７０Ｂは、外壁開口１８の上側から外側へ張り出しており、張出し床部７０Ａと上下方向に対向している。この庇部７０Ｂには、鋼製耐震壁３０の上部に片持ちで支持された４本の庇骨格材８２と、これらの庇骨格材８２の先端部に架け渡された繋ぎ材８４とが設けられている。庇骨格材８２は、例えばＨ形鋼等で形成されている。また、図４に示されるように、庇部７０Ｂの上側の表面パネル９０Ａは、外側に向うに従って下側へ傾斜する傾斜面とされている。
【００３３】
図３及び図５に示されるように、一対の側壁部７０Ｃは、外壁開口１８の左右両側に配置されており、鋼製耐震壁３０から外側へ突出している。各側壁部７０Ｃは、張出し床部７０Ａ及び庇部７０Ｂの左右方向の端部同士を接続している。この側壁部７０Ｃの突出方向の先端側（外端側）には、上下方向に延びる側壁骨格材８６が設けられている。側壁骨格材８６は、例えばＨ形鋼等で形成されている。
【００３４】
また、図５に示されるように、側壁部７０Ｃは、外壁開口１８の側縁部から離れた位置に配置されている。これにより、張出し床部７０Ａの床スペースの幅（左右方向の長さ）が外壁開口１８の開口幅よりも広くなっている。この側壁部７０Ｃの内壁面には、緑化ポッド２４（図３参照）用のシェルフ８８が複数段で設けられている。なお、シェルフ８８は適宜省略可能である。また、テラス７０には、ＬＥＤ等の照明器具を適宜設けても良い。
【００３５】
次に、本実施形態の作用について説明する。
【００３６】
テラス７０は、既存外壁１２の外壁開口１８の周辺部に後施工により取り付けられる。このテラス７０は、外壁開口１８の下側から外側へ張り出す張出し床部７０Ａを有している。これにより、既存外壁１２よりも外側の外部空間を例えばリフレッシュスペース等として利用することができる。また、テラス７０の張出し床部７０Ａは、柱等に支持されていない。したがって、所定の張出し量までは、延床面積（建築面積）を増加させずに、外部空間を利用可能にすることができる。なお、テラス７０は、リフレッシュスペースに限らず、種々の用途に用いることができる。
【００３７】
また、テラス７０は、外壁開口１８の上側から外側へ張り出す庇部７０Ｂを有している。この庇部７０Ｂによって、風雨や日射を遮蔽することができる。
【００３８】
さらに、テラス７０は、外壁開口１８の左右両側に配置された一対の側壁部７０Ｃを有している。この側壁部７０Ｃによって、例えば、図５に示されるように、既存外壁１２に沿って流れる自然風Ｆを捕えることにより、外壁開口１８を介して自然風Ｆを室内に取り込むことができる。したがって、自然風Ｆを利用した室内換気を効率的に行うことができるため、省エネルギー化を図りつつ、構造物の環境性能を向上させることができる。
【００３９】
しかも、一対の側壁部７０Ｃは、張出し床部７０Ａ及び庇部７０Ｂの左右方向の端部同士を接続している。これにより、風雨や日射の遮蔽性能が高まるため、テラス７０をより快適に利用することができる。また、雨の日でもサッシ２０を開け易くなるため、室内換気を促進させることができる。さらに、外壁開口１８の両側に一対の側壁部７０Ｃを立てることにより、テラス７０を利用する際の恐怖感等をなくすことができる。
【００４０】
また、張出し床部７０Ａ、庇部７０Ｂ、及び一対の側壁部７０Ｃによって外壁開口１８を取り囲み、意匠性を持たせることで、構造物の外観を良好にすることができる。さらに、テラス７０は、図１に示されるように、外壁開口１８単位に設けられる。これらのテラス７０を例えば千鳥状に配置することにより、構造物の外観をさらに良好にすることができる。
【００４１】
また、テラス７０は、既存外壁１２に鋼製耐震壁３０を介して取り付けられる。これにより、既存外壁１２の外部空間を利用可能しつつ、耐震性能も向上させることができる。なお、鋼製耐震壁３０は、外壁開口１８と対向する開口部２０を有し、外壁開口１８を塞がないように既存外壁１２に取り付けられる。したがって、眺望性、採光性、通風性等を確保しつつ、耐震性能を向上させることができる。
【００４２】
また、鋼製耐震壁３０をテラス７０の下地材として利用することにより、テラス７０を既存外壁１２に直接取り付ける場合と比較して、施工性が向上する。さらに、テラス７０によって、鋼製耐震壁３０の一部が覆われるため、鋼製耐震壁３０の仕上げ等を省略することができる。これに加えて、鋼製耐震壁３０用の足場を利用してテラス７０を施工することができるため、施工コストを削減することができる。
【００４３】
次に、上記実施形態の変形例について説明する。
【００４４】
上記実施形態では、一対の側壁部７０Ｃによって張出し床部７０Ａ及び庇部７０Ｂを接続した例を示したが、これに限らない。例えば、側壁部７０Ｃの高さを低くし、側壁部７０Ｃの上端部と庇部７０Ｂとの間に隙間や空間を形成しても良いし、垂れ壁のように側壁部７０Ｃを庇部７０Ｂから吊り下げても良い。
【００４５】
また、上記実施形態では、テラス７０に庇部７０Ｂ及び一対の側壁部７０Ｃを設けた例を示したが、これに限らない。テラス７０は、少なくとも張出し床部７０Ａを有していれば良く、庇部７０Ｂ及び一対の側壁部７０Ｃは適宜省略可能である。なお、一対の側壁部７０Ｃの一方のみを省略することも可能である。
【００４６】
また、上記実施形態では、外壁開口１８単位にテラス７０を設けた例を示したが、これに限らない。テラス７０は、複数の外壁開口１８にまたがって設けても良い。
【００４７】
また、上記実施形態では、鋼製耐震壁３０を波形鋼板３２で形成した例を示したが、これに限らない。鋼製耐震壁３０は、例えば、平鋼板等で形成しても良い。また、上記実施形態では、鋼製耐震壁３０をテラス７０の下地材として用いたが、これに限らない。下地材としては、種々の鋼板を用いることができる。さらに、下地材を用いずに、テラス７０を既存外壁１２に直接取り付けることも可能である。
【００４８】
また、上記実施形態では、既存外壁１２がＲＣ造とされ、上下の梁１４及び左右の柱１６がＲＣ造またはＳＲＣ造とされているが、これに限らない。既存外壁１２は、例えば各種の外壁ボードであっても良いし、上下の梁１４及び左右の柱１６は、例えば、鉄骨造であっても良い。
【００４９】
さらに、テラス７０は、既存の構造物の既存外壁１２に限らず、新築構造物の既存外壁に後施工により取り付けても良い。つまり、本実施形態における後施工とは、既存構造物であるか新築構造物であるかを問わずに、施工済みの外壁（既存外壁）に対してテラス７０を取り付けることを意味する。
【００５０】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５１】
１０    外部張出し構造
１２    既存外壁
１８    外壁開口
２０    開口部（鋼板の開口部）
３０    鋼製耐震壁（鋼板）
７０    テラス
７０Ａ  張出し床部
７０Ｂ  庇部
７０Ｃ  側壁部（一対の側壁部）
【図１】
2015074929.tif 000003
【図２】
2015074929.tif 000004
【図３】
2015074929.tif 000005
【図４】
2015074929.tif 000006
【図５】
2015074929.tif 000007